(57)【要約】【課題】印刷物の画像品質を確認する際に原稿を読み取るスキャナを占有することなく、利便性を向上させる。【解決手段】原稿から画像を読み取る読取部２０、２１と、読取部２０、２１により読み取った原画像データを蓄積する画像データ蓄積部３０と、原画像データを用紙に出力する画像形成部６と、用紙を搬送路により搬送する搬送制御部５２と、搬送路に設けられ、用紙から画像を読み取る読取部２４と、画像データ蓄積部３０に蓄積された原画像データと、読取部２４により読み取った読取画像データとを比較する比較部５３と、比較部５３による比較結果により、原画像データと読取画像データとの差異が予め定めた許容範囲を外れている場合、原画像データに対して差異を低減する補正を行う補正部５４と、を備え、画像形成部６は、補正された原画像データを用紙に出力する。【選択図】図５
2014036373.tif 000002
【特許請求の範囲】
【請求項１】
原稿から画像を読み取る第１読取手段と、
前記第１読取手段により読み取った第１画像データを蓄積する蓄積手段と、
前記第１画像データを記録媒体に出力する画像形成手段と、
前記記録媒体を搬送路により搬送する搬送手段と、
前記搬送路に設けられ、前記記録媒体から画像を読み取る第２読取手段と、
前記蓄積手段に蓄積された前記第１画像データと、前記第２読取手段により読み取った第２画像データとを比較する比較手段と、
前記比較手段による比較結果により、前記第１画像データと前記第２画像データとの差異が予め定めた許容範囲を外れている場合、前記第１画像データに対して前記差異を低減する補正を行う補正手段と、
を備え、
前記画像形成手段は、補正された前記第１画像データを記録媒体に出力することを特徴とする画像形成装置。
【請求項２】
前記第２読取手段の読み取り面を清掃する第１清掃手段をさらに備えることを特徴とする請求項１に記載の画像形成装置。
【請求項３】
前記搬送路を介して前記第２読取手段と対向する位置に設けられた白色の基準部材をさらに備えることを特徴とする請求項１または２に記載の画像形成装置。
【請求項４】
前記基準部材は、前記搬送路側の面が前記記録媒体の搬送方向に沿って平面状に形成されていることを特徴とする請求項３に記載の画像形成装置。
【請求項５】
前記基準部材は、円柱形状であることを特徴とする請求項３に記載の画像形成装置。
【請求項６】
前記基準部材を回転させる駆動手段をさらに備えることを特徴とする請求項５に記載の画像形成装置。
【請求項７】
前記基準部材を清掃する第２清掃手段をさらに備えることを特徴とする請求項３〜６のいずれか１つに記載の画像形成装置。
【請求項８】
前記基準部材の近傍に設けられ、回転することにより前記基準部材を前記第２読取手段から離し、前記第２読取手段と前記基準部材との間隔を広げる回転軸をさらに備えることを特徴とする請求項３〜７のいずれか１つに記載の画像形成装置。
【請求項９】
画像形成装置で実行される画像形成方法において、
前記画像形成装置は、
画像データを蓄積する蓄積手段と、
画像を読み取る第１読取手段および第２読取手段と、を備え、
前記第１読取手段により原稿から画像を読み取り、読み取った第１画像データを前記蓄積手段に蓄積する第１読取ステップと、
前記第１画像データを記録媒体に出力する画像形成ステップと、
前記記録媒体を搬送路により搬送する搬送ステップと、
前記搬送路に設けられた前記第２読取手段により前記記録媒体から画像を読み取る第２読取ステップと、
前記蓄積手段に蓄積された前記第１画像データと、前記第２読取手段により読み取った第２画像データとを比較する比較ステップと、
前記比較ステップによる比較結果により、前記第１画像データと前記第２画像データとの差異が予め定めた許容範囲を外れている場合、前記第１画像データに対して前記差異を低減する補正を行う補正ステップと、
を含み、
前記画像形成ステップは、補正された前記第１画像データを記録媒体に出力することを特徴とする画像形成方法。
【発明の詳細な説明】
【技術分野】
【０００１】
本発明は、画像形成装置および画像形成方法に関する。
【背景技術】
【０００２】
原稿と該原稿を印刷した印刷物とでは、作像エンジンの性能により異なる色味となってしまい、画像品質に差が現れることがある。このため、作像エンジン部からスキャナ部へ設けられた用紙搬送路により印刷物を搬送して印刷物の画像を読み取り、原稿を読み取った原画像データと、印刷物を読み取った印刷画像データとを一致させることにより、原稿を忠実に印刷物に再現させる技術が知られている。
【０００３】
例えば、特許文献１には、原画像データ（原稿を読み取った画像データ）が印刷された印刷物を読取装置に搬送し、該読取装置で読み取った印刷物の画像データと当該画像データに対応する原画像データとを比較し、両画像データの差異が低減するように原画像データに対して補正を施して再印刷する画像形成装置が開示されている。
【発明の概要】
【発明が解決しようとする課題】
【０００４】
しかしながら、特許文献１のような画像形成装置では、印刷物をスキャナ（読取装置）で読み取って印刷物の画像品質を確認するため、スキャナが印刷物を読み取っている間、ユーザはスキャナを使用することができないという問題があった。
【０００５】
本発明は、上記に鑑みてなされたものであって、印刷物の画像品質を確認する際に原稿を読み取るスキャナを占有することなく、利便性を向上させる画像形成装置および画像形成方法を提供することを目的とする。
【課題を解決するための手段】
【０００６】
上述した課題を解決し、目的を達成するために、本発明は、原稿から画像を読み取る第１読取手段と、前記第１読取手段により読み取った第１画像データを蓄積する蓄積手段と、前記第１画像データを記録媒体に出力する画像形成手段と、前記記録媒体を搬送路により搬送する搬送手段と、前記搬送路に設けられ、前記記録媒体から画像を読み取る第２読取手段と、前記蓄積手段に蓄積された前記第１画像データと、前記第２読取手段により読み取った第２画像データとを比較する比較手段と、前記比較手段による比較結果により、前記第１画像データと前記第２画像データとの差異が予め定めた許容範囲を外れている場合、前記第１画像データに対して前記差異を低減する補正を行う補正手段と、を備え、前記画像形成手段は、補正された前記第１画像データを記録媒体に出力することを特徴とする。
【０００７】
また、本発明は、画像形成装置で実行される画像形成方法において、前記画像形成装置は、画像データを蓄積する蓄積手段と、画像を読み取る第１読取手段および第２読取手段と、を備え、前記第１読取手段により原稿から画像を読み取り、読み取った第１画像データを前記蓄積手段に蓄積する第１読取ステップと、前記第１画像データを記録媒体に出力する画像形成ステップと、前記記録媒体を搬送路により搬送する搬送ステップと、前記搬送路に設けられた前記第２読取手段により前記記録媒体から画像を読み取る第２読取ステップと、前記蓄積手段に蓄積された前記第１画像データと、前記第２読取手段により読み取った第２画像データとを比較する比較ステップと、前記比較ステップによる比較結果により、前記第１画像データと前記第２画像データとの差異が予め定めた許容範囲を外れている場合、前記第１画像データに対して前記差異を低減する補正を行う補正ステップと、を含み、前記画像形成ステップは、補正された前記第１画像データを記録媒体に出力することを特徴とする。
【発明の効果】
【０００８】
本発明によれば、印刷物の画像品質を確認する際に原稿を読み取るスキャナを占有することなく、利便性を向上させることができるという効果を奏する。
【図面の簡単な説明】
【０００９】
【図１】図１は、複合機（片面機）の概略構成図である。
【図２】図２は、複合機（両面機）の概略構成図である。
【図３】図３は、図１に示す複合機における読取部近傍の拡大図である。
【図４】図４は、図１に示す複合機における読取部近傍の拡大図である。
【図５】図５は、実施の形態にかかる複合機の構成を示すブロック図である。
【図６】図６は、実施の形態における印刷処理の流れを示すフローチャートである。
【発明を実施するための形態】
【００１０】
以下に添付図面を参照して、画像形成装置および画像形成方法の実施の形態を詳細に説明する。以下の実施の形態では、本発明の画像形成装置をコピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の原稿を読み取り出力（印刷）を行う画像形成装置であればいずれにも適用することができる。
【００１１】
図１は、複合機（片面機）の概略構成図である。図１に示す複合機１００は、用紙の片面に印刷を行う片面機である。図１に示すように、複合機１００は、転写ベルト５に沿って各色（ブラック（Ｂｋ）、マゼンタ（Ｍ）、シアン（Ｃ）、イエロー（Ｙ））のＡＩＯカートリッジ（All  In  One  cartridge）６Ｂｋ、６Ｍ、６Ｃ、６Ｙが並べて備えられており、所謂、タンデムタイプと呼ばれるものである。なお、ＡＩＯカートリッジ６Ｂｋ、６Ｍ、６Ｃ、６Ｙが画像形成部に相当する。
【００１２】
転写ベルト５は、反時計回りに回転し、回転方向の上流側から順に、複数のＡＩＯカートリッジ（電子写真プロセス部）６Ｂｋ、６Ｍ、６Ｃ、６Ｙが配列されている。これら複数のＡＩＯカートリッジ６Ｂｋ、６Ｍ、６Ｃ、６Ｙは、形成するトナー画像の色が異なるだけで内部構成は共通である。ＡＩＯカートリッジ６Ｂｋはブラックの画像を、ＡＩＯカートリッジ６Ｍはマゼンタの画像を、ＡＩＯカートリッジ６Ｃはシアンの画像を、ＡＩＯカートリッジ６Ｙはイエローの画像をそれぞれ形成する。
【００１３】
以下の説明では、ＡＩＯカートリッジ６Ｂｋについて具体的に説明するが、他のＡＩＯカートリッジ６Ｍ、６Ｃ、６Ｙについては、ＡＩＯカートリッジ６Ｂｋと同様である。従って、ＡＩＯカートリッジ６Ｍ、６Ｃ、６Ｙにおける各構成要素については、ＡＩＯカートリッジ６Ｂｋの各構成要素に付したＢｋに替えて、Ｍ、Ｃ、Ｙによって区別した符号を図に表示し、詳細な説明を省略する。
【００１４】
転写ベルト５は、回転駆動される２次転写駆動ローラ７と転写ベルトテンションローラ８とに巻回されたエンドレスのベルトである。この２次転写駆動ローラ７は、不図示の駆動モータにより回転駆動させられ、この駆動モータと、２次転写駆動ローラ７と、転写ベルトテンションローラ８とが、転写ベルト５を移動させる駆動手段として機能する。
【００１５】
ＡＩＯカートリッジ６Ｂｋは、感光体としての感光体９Ｂｋ、この感光体９Ｂｋの周囲に配置された帯電器１０Ｂｋ、露光器１１、現像器１２Ｂｋ、クリーナーブレード１３Ｂｋ等から構成されている。露光器１１は、各ＡＩＯカートリッジ６Ｂｋ、６Ｍ、６Ｃ、６Ｙが形成する画像色に対応する露光光であるレーザ光１４Ｂｋ、１４Ｍ、１４Ｃ、１４Ｙを照射するように構成されている。
【００１６】
画像形成に際し、感光体９Ｂｋの外周面は、暗中にて帯電器１０Ｂｋにより一様に帯電された後、露光器１１からのブラック画像に対応したレーザ光１４Ｂｋにより露光され、静電潜像を形成される。現像器１２Ｂｋは、この静電潜像をブラックトナーにより可視像化し、このことにより感光体９Ｂｋ上にブラックのトナー画像が形成される。
【００１７】
このトナー画像は、感光体９Ｂｋと転写ベルト５とが接する位置（１次転写位置）で、１次転写ローラ１５Ｂｋの働きにより転写ベルト５上に転写される。この転写により、転写ベルト５上にブラックのトナーによる画像が形成される。トナー画像の転写が終了した感光体９Ｂｋは、外周面に残留した不要なトナーをクリーナーブレード１３Ｂｋにより払拭された後、次の画像形成のために待機する。
【００１８】
以上のようにして、ＡＩＯカートリッジ６Ｂｋでブラックのトナー画像を転写された転写ベルト５は、転写ベルト５によって次のＡＩＯカートリッジ６Ｍに搬送される。ＡＩＯカートリッジ６Ｍでは、ＡＩＯカートリッジ６Ｂｋでの画像形成プロセスと同様のプロセスにより感光体９Ｍ上にマゼンタのトナー画像が形成され、そのトナー画像が転写ベルト５上に形成されたブラックのトナー画像に重畳されて転写される。
【００１９】
転写ベルト５は、さらに次のＡＩＯカートリッジ６Ｃ、６Ｙに搬送され、同様の動作により、感光体９Ｃ上に形成されたシアンのトナー画像と、感光体９Ｙ上に形成されたイエローのトナー画像とが、転写ベルト５上に重畳されて転写される。こうして、転写ベルト５上にフルカラーの画像が形成される。このフルカラーの重ね画像が形成された転写ベルト５は、２次転写ローラ１６の位置まで搬送される。
【００２０】
なお、画像形成に際して、ブラックのみの印刷を行う場合、マゼンタ、シアン、イエローの１次転写ローラ（１５Ｍ、１５Ｃ、１５Ｙ）を、それぞれ感光体（９Ｍ、９Ｃ、９Ｙ）から離間された位置に退避させておき、上述の画像形成プロセスをブラックの場合のみ行う。
【００２１】
画像形成時の用紙搬送動作に際して、給紙トレイ１に収納された用紙４は、最も上のものから給紙ローラ２を反時計回りに回転駆動することにより順に送り出され、レジストローラ３の位置にて待機する。レジストローラ３の駆動開始は、転写ベルト５により搬送されたトナー画像と２次転写ローラ１６上で、トナー画像と用紙４の位置が重なり合うようなタイミングで行なわれる。この時レジストローラ３は図１に示すＲ１方向に回転駆動することで用紙４を送り出す。
【００２２】
レジストローラ３にて送り出された用紙４は２次転写ローラ１６に搬送され、２次転写ローラ１６にて転写ベルト５上のトナー画像が用紙４に転写された後、定着器１７にてトナー画像が熱および圧力にて定着される。
【００２３】
トナー画像が定着した用紙４は、図１に示すＲ２方向に回転駆動された排紙ローラ１８にて複合機１００の外部に排紙される。このとき、読取部（ＣＩＳ：Contact  Image  Sensor）２４にて、用紙４に印刷された画像を読み取る。
【００２４】
ここで、排紙ローラ１８は、用紙４の搬送路を介して読取部２４と対向する位置に設けられ、読取部２４の白基準（基準部材）とするため白色になっている。白基準とは、読み取りデータがばらつく現象を補正（シェーディング補正）するために使用されるものである。このような白基準を設けることにより、毎回読み取った画像データに対して補正を行うことができるため、用紙４の画像を正確に読み取ることができる。
【００２５】
また、排紙ローラ１８は、回転することで用紙４を複合機１００の外部に排紙するものであるため、円柱形状となっており、不図示の駆動モータ（駆動手段）により回転駆動させられている。このように、排紙ローラ１８が円柱形状であれば、摩擦係数が少ない状態で用紙４を搬送することができるため、用紙４の画像を正確に読み取ることができる。また、白基準である排紙ローラ１８が汚れても、円柱形状であれば、回転させることで汚れていない部分を読取部２４に向けることができるため、画像を正確に補正することができ、用紙４の画像を正確に読み取ることができる。
【００２６】
スキャナ部では、原稿搬送ローラ２２によって、原稿を搬送する。スキャナレジストセンサ（不図示）で待機させ、原稿の片面の画像を読取部２０、原稿のもう片面（反対面）の画像を読取部２１で読み取る。そして、原稿は、排紙ローラ２３によって、外部に排紙される。
【００２７】
図２は、複合機（両面機）の概略構成図である。図２に示す複合機２００は、用紙の両面に印刷を行う両面機である。図２に示す複合機２００は、両面印刷を行なう両面印刷用の搬送路２７（両面搬送路２７）が設けられていること、この両面搬送路２７に用紙４を搬送させるための両面ローラ１９が設けられていること、用紙４を読み取る読取部（ＣＩＳ）２４が排紙ローラ１８と対向した位置ではなく、両面搬送路２７を介して両面ローラ１９と対向する位置に設けられていることが、図１の複合機１００と異なる部分である。それ以外は、図１の複合機１００と同様であるため、説明は省略する。
【００２８】
複合機２００において両面印刷を行う場合は、用紙４が排紙ローラ１８を通過する手前で、排紙ローラ１８を図２のＲ３方向と反対方向に回転駆動し、用紙４を両面搬送路２７に搬送する。両面搬送路２７に搬送された用紙４は両面ローラ１９を経由し、再びレジストローラ３まで搬送される。この両面ローラ１９で搬送される際に、読取部２４で印刷物の画像を読取る。
【００２９】
レジストローラ３に到達した用紙４は再びレジストローラ３から再給紙され、２次転写ローラ１６にて用紙４の反対面（先に印刷された面と反対側の用紙面）にトナー画像が転写された後、定着器１７にてトナー画像が熱および圧力にて定着され、図２のＲ３方向に回転駆動された排紙ローラ１８にて複合機２００の外部に排紙される。
【００３０】
さらに用紙４の反対面を読取部２４にて読み取る場合は、用紙４を再度両面搬送路２７に搬送し、両面ローラ１９と読取部２４を経由して、排紙する。ここで、両面ローラ１９は、両面搬送路２７を介して読取部２４と対向する位置に設けられ、読取部２４の白基準（基準部材）とするため白色になっている。また、両面機である複合機２００において、読取部２４を両面ローラ１９の対向位置に配置したのは、用紙４の厚みにより、用紙４がたわみ、読取部２４と用紙４との距離が変わらないように、画像形成（印刷）された用紙４のたわみを抑えるためである。
【００３１】
なお、以下では、複合機１００について説明するが、複合機２００についても同様であるため説明を省略する。
【００３２】
次に、図１に示す複合機１００において、排紙ローラ１８に替えて板状の部材を配置した構成としてもよい。図３は、図１に示す複合機における読取部近傍の拡大図である。図３に示す複合機１００では、平面状に形成された白板２５が、用紙４の搬送路を介して読取部２４と対向する位置に設けられている。
【００３３】
白板２５は、搬送路側の面が用紙４の搬送方向に沿って平面状に形成されており、白基準とするため白色になっている。これにより、画像形成（印刷）された用紙４の画像を読み取る読取部２４と白板２５までの距離を一定に維持させることが容易になる。また、白板２５が平面状に形成されていることで、読取部２４の取り付け位置がずれていても、画像を正確に補正することができ、用紙４の画像を正確に読み取ることができる。
【００３４】
次に、図２に示す複合機１００において、排紙ローラ１８と読取部２４との間隔を広げることが可能な構成としてもよい。図４は、図１に示す複合機における読取部近傍の拡大図である。複合機１００には、読取部２４の読み取り面と、基準部材である排紙ローラ１８（図２の複合機２００の場合は、両面ローラ１９）とを清掃する不図示の清掃部が設けられている。この清掃部により、読取部２４の読み取り面や白基準が汚れた場合でも清掃することができ、用紙の画像を正確に読み取ることができる。
【００３５】
そして、図４に示す複合機１００では、排紙ローラ１８と読取部２４とを清掃するための機構（清掃機構）として、排紙ローラ１８の近傍に、回転することにより排紙ローラ１８を読取部２４から離し、排紙ローラ１８と読取部２４との間隔を広げる排紙ローラ部回転軸２６が設けられている。この排紙ローラ部回転軸２６が図４に示すＲ４方向に回転することより、排紙ローラ１８と読取部２４との距離が広げられ、上述の清掃部による排紙ローラ１８および読取部２４の清掃が容易になる。
【００３６】
図５は、実施の形態にかかる複合機の構成を示すブロック図である。図５に示すように、本実施の形態の複合機１００は、読取部２０、２１、２４と、画像形成部６（６Ｂｋ、６Ｍ、６Ｃ、６Ｙ）と、画像データ蓄積部３０と、変換部４０と、制御部５０と、搬送部６０とを主に備えている。
【００３７】
読取部２０、２１は、スキャナ部に設けられており、原稿から画像を読み取り、読み取った画像データ（原画像データ）のアナログ信号を変換部４０に送出するとともに、原画像データを画像データ蓄積部３０に保存するものであり、ＣＩＳやＣＣＤ（Charge  Coupled  Devices）などである。
【００３８】
読取部２４は、搬送路に設けられ、画像形成部６により印刷された用紙４から画像を読み取り、読み取った画像データ（読取画像データ）のアナログ信号を変換部４０に送出するものであり、読取部２０、２１と同様、ＣＩＳやＣＣＤなどである。本実施の形態では、読取部２０、２１、２４として、ＣＩＳが設けられている。
【００３９】
画像データ蓄積部３０は、読取部２０、２１により読み取った原稿の画像データ（原画像データ）を蓄積するＨＤＤ（Hard  Disk  Drive）などの記憶媒体である。
【００４０】
変換部（ＡＦＥ）４０は、読取部２０、２１、２４が出力したアナログ信号をサンプリングし、デジタル信号に変換して、制御部５０に送出する。
【００４１】
制御部５０は、複合機１００を制御するものであり、例えば、読取部２０、２１、２４を駆動させる制御信号（ＣＬＫ、ＳＰ、ＭＯＤＥ）を送出する。このとき、読取部２０、２１、２４を駆動させる制御信号は、共通である。また、制御部５０は、画像処理部５１と、搬送制御部５２と、比較部５３と、補正部５４と、メモリ５５とを主に備えている。
【００４２】
画像処理部５１は、読取部２０、２１により読み取った原画像データの画像処理を行なうものである。搬送制御部５２は、搬送部６０を制御して用紙４を搬送するものである。メモリ５５は、画像データを一次的に蓄えるメモリである。
【００４３】
比較部５３は、読取部２０、２１により読み取り、画像データ蓄積部３０に蓄積された原画像データと、読取部２４により読み取った画像データ（読取画像データ）とを比較するものである。すなわち、比較部５３は、原画像データと読取画像データとの差異を抽出し、その差異が予め定めた許容範囲（閾値）を超えているか否かを判断する。この判断手法は公知の技術を利用して行う。
【００４４】
補正部５４は、比較部５３による比較結果が、原画像データと読取画像データとから抽出された差異が予め定めた許容範囲を外れている場合、原画像データに対して、読取画像データが原画像データに近づくよう差異を低減する補正を行う。この補正は公知の技術を利用して行う。
【００４５】
画像形成部６は、画像処理部５１により画像処理が行われた後の原画像データを、用紙４に印刷（出力）するものである。また、画像形成部６は、補正部５４により補正された原画像データを用紙４に印刷（出力）する。
【００４６】
搬送部６０は、搬送制御部５２の指示に従って用紙４を搬送路により搬送するものである。
【００４７】
ここで、複合機１００のコストを低減させる構成について説明する。まず、コストを低減させる複合機を得るためには、上述のように、原稿を読取る読取部（ＣＣＤやＣＩＳ）と、読取部からの出力信号をサンプリングし、ＡＤ変換する変換部（ＡＦＥ）と、読取部と変換部を制御する制御部が必要である。
【００４８】
出力信号を出すポートが少ないのは、１ｃｈ出力のＣＩＳである。また、低コストの制御部に接続できる変換部（ＡＦＥ）は１つ分であるため、ＡＦＥは、複数入力ｃｈを有する変換部を採用する。ここで、複数入力を有するＡＦＥは、３ｃｈの入力を持っていることが一般的である。このため、本実施の形態では、変換部４０（ＡＦＥ）の余っている入力１ｃｈに、読取部（ＣＩＳ）２４を接続することで、読取部２４以外のコストアップを回避している。
【００４９】
次に、本実施の形態の複合機１００による印刷処理について説明する。図６は、実施の形態における印刷処理の流れを示すフローチャートである。
【００５０】
まず、読取部２０、２１は、原稿から画像を読み取り（ステップＳ１１）、読み取った原画像データを画像データ蓄積部３０に保存する。そして、画像処理部５１は、読取部２０、２１により読み取った原画像データの画像処理を行う（ステップＳ１２）。画像形成部６は、画像処理が施された原画像データを用紙に印刷（出力）する（ステップＳ１３）。
【００５１】
搬送制御部５２は、原画像データが印刷された用紙、すなわち印刷物を搬送路により読取部２４に搬送する（ステップＳ１４）。読取部２４は、印刷物から画像を読み取る（ステップＳ１５）。
【００５２】
次に、比較部５３は、原画像データと、印刷物から読み取った読取画像データとを比較して、両画像データの差異が予め定めた許容範囲を超えているか否かを判断する（ステップＳ１６）。そして、搬送制御部５２は、印刷物を排紙トレイへ排紙する（ステップＳ１７）。
【００５３】
補正部５４は、比較部５３による比較結果が、両画像データの差異が予め定めた許容範囲内か否かを判断し（ステップＳ１８）、該差異が許容範囲内である場合（ステップＳ１８：Ｙｅｓ）、そのまま処理を終了する。一方、該差異が許容範囲外である場合（ステップＳ１８：Ｎｏ）、補正部５４は、原画像データと読取画像データとの差異が低減するように原画像データに対する補正を行い（ステップＳ１９）、ステップＳ１３に戻る。
【００５４】
このように、本実施の形態の複合機１００は、原稿から画像を読み取る読取部２０、２１とは別個に、印刷物から画像を読み取る読取部２４を搬送路に設け、読取部２０、２１により原稿を読み取った原稿画像データと、読取部２４により印刷物を読み取った読取画像データとを比較して、両画像データの差異が許容範囲外であった場合、原画像データに対して該差異が低減するような補正を行う。これにより、印刷物の画像品質を確認する際に原稿を読み取るスキャナ（読取部２０、２１）を占有することなく、利便性を向上させることができる。
【符号の説明】
【００５５】
１  給紙トレイ
２  給紙ローラ
３  レジストローラ
４  用紙
５  転写ベルト
６  画像形成部
６Ｂｋ、６Ｍ、６Ｃ、６Ｙ  ＡＩＯカートリッジ
７  ２次転写駆動ローラ
８  転写ベルトテンションローラ
９Ｂｋ、９Ｍ、９Ｃ、９Ｙ  感光体
１０Ｂｋ、１０Ｍ、１０Ｃ、１０Ｙ  帯電器
１１  露光器
１２Ｂｋ、１２Ｍ、１２Ｃ、１２Ｙ  現像器
１３Ｂｋ、１３Ｍ、１３Ｃ、１３Ｙ  クリーナーブレード
１４Ｂｋ、１４Ｍ、１４Ｃ、１４Ｙ  レーザ光
１５Ｂｋ、１５Ｍ、１５Ｃ、１５Ｙ  １次転写ローラ
１６  ２次転写ローラ
１７  定着器
１８  排紙ローラ
１９  両面ローラ
２０、２１、２４  読取部
２２  原稿搬送ローラ
２３  排紙ローラ
２５  白板
２６  排紙ローラ部回転軸
２７  両面搬送路
３０  画像データ蓄積部
４０  変換部
５０  制御部
５１  画像処理部
５２  搬送制御部
５３  比較部
５４  補正部
５５  メモリ
６０  搬送部
１００、２００  複合機
【先行技術文献】
【特許文献】
【００５６】
【特許文献１】特開２００６−２２４５３７号公報
【図１】
2014036373.tif 000003
【図２】
2014036373.tif 000004
【図３】
2014036373.tif 000005
【図４】
2014036373.tif 000006
【図５】
2014036373.tif 000007
【図６】
2014036373.tif 000008